(57)【要約】【課題】着信があった場合に操作手段によって操作がされなかった場合に、その後一定時間間隔で一定時間鳴動手段により鳴動させ、それを一定回数繰り返すことにより、着信があったことを所有者に知らせる携帯電話を提供すること。【解決手段】  相手から呼び出しにより着信があり（ステップ１０）、キー操作による応答がない場合は（ステップ１１）、応答なしの着信としてメモリに記憶される。その後にボタン操作（応答）があれば（ステップ１２；Ｙ）、その後の一連の着信を知らせる動作は行わない。着信中のボタン操作も同様である。ボタン操作がなければ、一定時間の間隔を置いて（ステップ１３）、一定時間鳴動部２２により鳴動を行う（ステップ１４）。この動作を設定回数になるまで行う（ステップ１５）。【選択図】図２
2006279991.tif 000002
【特許請求の範囲】
【請求項１】
各種操作を行う操作手段と、ユーザに知らせるために音響を発生させる鳴動手段とを備えた携帯電話機において、
着信があった場合に前記操作手段によって操作がされなかったときに、着信終了後一定時間間隔で一定時間前記鳴動手段により音響を発生させ、これを一定回数繰り返し、その間に操作手段による操作があれば前記鳴動手段による動作を中止することを特徴とする携帯電話機。
【請求項２】
各種操作を行う操作手段と、ユーザに知らせるために振動を発生させる振動手段とを備えた携帯電話機において、
着信があった場合に前記操作手段によって操作がされなかったときに、着信終了後一定時間間隔で一定時間前記振動手段により振動を発生させ、これを一定回数繰り返し、その間に操作手段による操作があれば前記振動手段による動作を中止することを特徴とする携帯電話機。
【請求項３】
各種操作を行う操作手段と、ユーザに知らせるためにランプの点灯または点滅を行う点灯手段とを備えた携帯電話機において、
着信があった場合に前記操作手段によって操作がされなかったときに、着信終了後一定時間間隔で一定時間前記点灯手段によりランプを点灯または点滅させ、これを一定回数繰り返し、その間に操作手段による操作があれば前記点灯手段による動作を中止することを特徴とする携帯電話機。
【請求項４】
各種操作を行う操作手段と、ユーザに知らせるためにバックライトの点灯または点滅を行う表示部バックライト手段とを備えた携帯電話機において、
着信があった場合に前記操作手段によって操作がされなかったときに、着信終了後一定時間間隔で一定時間前記表示部バックライト手段によりバックライトを点灯または点滅させ、これを一定回数繰り返し、その間に操作手段による操作があれば前記バックライト手段による動作を中止することを特徴とする携帯電話機。
【請求項５】
ユーザに知らせるための動作を行う間隔時間、ユーザに知らせるための動作を行う時間、またはユーザに知らせるための動作を行う繰り返し回数のいずれかを設定変更する設定手段をさらに備えたことを特徴とする請求項１、請求項２、請求項３または請求４記載の携帯電話機。
【発明の詳細な説明】
【技術分野】
【０００１】
本発明は、ユーザに着信があった旨を通知する携帯電話機に関する。
【背景技術】
【０００２】
近年、急激に普及している携帯電話では、ある携帯電話に相手側からの着信（呼び出し）があった場合に、当該携帯電話の所有者の都合で、その呼び出しに対して応答ができない場合が多々あった。このとき、当該携帯電話に着信があった旨を所有者に知らせるために、表示部に着信があった旨のメッセージが表示されていた。
【発明の開示】
【発明が解決しようとする課題】
【０００３】
しかし、たまたま着信に気が付かなかったとき、具体的には、回りの騒音や、携帯電話から離れていた等の理由の場合、携帯電話の画面を見るまで着信があったことに、気が付かなかった。
そこで、本発明の第１の目的は、着信があった場合に操作手段によって操作がされなかった場合に、着信終了後一定時間間隔で一定時間鳴動手段により鳴動させ、それを一定回数繰り返すことにより、着信があったことを所有者に知らせる携帯電話を提供することである。
本発明の第２の目的は、着信があった場合で操作手段によって操作がされなかった場合に、着信終了後一定時間間隔で一定時間振動手段により振動させ、それを一定回数繰り返すことにより、着信があったこと所有者に知らせる携帯電話を提供することである。
【０００４】
本発明の第３の目的は、着信があった場合で操作手段によって操作がされなかった場合に、着信終了後一定時間間隔で一定時間ランプ手段により点滅あるいは点灯させ、それを一定回数繰り返すことにより、着信があったことを知らせる携帯電話を提供することである。
本発明の第４の目的は、着信があった場合で操作手段によって操作がされなかった場合に、着信終了後一定時間間隔で一定時間表示部バックライト手段により点滅あるいは点灯させ、それを一定回数繰り返すことにより、着信があったことを知らせる携帯電話を提供することである。
本発明の第５の目的は、間隔時間、鳴動あるいは振動あるいは点滅あるいは点灯時間、繰り返し回数のいずれかを設定変更できるようにすることにより、使用者の使い勝手をよくした携帯電話を提供することである。
【課題を解決するための手段】
【０００５】
請求項１記載の発明では、各種操作を行う操作手段と、ユーザに知らせるために音響を発生させる鳴動手段とを備えた携帯電話機において、着信があった場合に前記操作手段によって操作がされなかったときに、着信終了後一定時間間隔で一定時間前記鳴動手段により音響を発生させ、これを一定回数繰り返し、その間に操作手段による操作があれば前記鳴動手段による動作を中止することにより、前記第１の目的を達成する。
請求項２記載の発明では、各種操作を行う操作手段と、ユーザに知らせるために振動を発生させる振動手段とを備えた携帯電話機において、着信があった場合に前記操作手段によって操作がされなかったときに、着信終了後一定時間間隔で一定時間前記振動手段により振動を発生させ、これを一定回数繰り返し、その間に操作手段による操作があれば前記振動手段による動作を中止することにより、前記第２の目的を達成する。
【０００６】
請求項３記載の発明では、各種操作を行う操作手段と、ユーザに知らせるためにランプの点灯または点滅を行う点灯手段とを備えた携帯電話機において、着信があった場合に前記操作手段によって操作がされなかったときに、着信終了後一定時間間隔で一定時間前記点灯手段によりランプを点灯または点滅させ、これを一定回数繰り返し、その間に操作手段による操作があれば前記点灯手段による動作を中止することにより、前記第３の目的を達成する。
請求項４記載の発明では、各種操作を行う操作手段と、ユーザに知らせるためにバックライトの点灯または点滅を行う表示部バックライト手段とを備えた携帯電話機において、着信があった場合に前記操作手段によって操作がされなかったときに、着信終了後一定時間間隔で一定時間前記表示部バックライト手段によりバックライトを点灯または点滅させ、これを一定回数繰り返し、その間に操作手段による操作があれば前記バックライト手段による動作を中止することにより、前記第４の目的を達成する。
【０００７】
請求項５記載の発明では、請求項１、請求項２、請求項３または請求４記載の発明において、ユーザに知らせるための動作を行う間隔時間、ユーザに知らせるための動作を行う時間、またはユーザに知らせるための動作を行う繰り返し回数のいずれかを設定変更する設定手段をさらに備えたことにより、前記第５の目的を達成する。
【発明の効果】
【０００８】
請求項１記載の発明では、着信があった場合で操作手段によって操作がされなかった場合に、着信終了後一定時間間隔で一定時間鳴動手段により鳴動させ、それを一定回数繰り返し、その間に操作手段による操作があれば鳴動させることを中止するので、着信時に着信に気が付かなくても、その後前記動作により着信があったことを確実に知らせることができ、また簡単に前記動作を終了させることが可能となる。
請求項２記載の発明では、着信があった場合で操作手段によって操作がされなかった場合に、着信終了後一定時間間隔で一定時間振動手段により振動させ、それを一定回数繰り返し、その間に操作手段による操作があれば振動させることを中止するので、着信時に着信に気が付かなくても、その後前記動作により着信があったことを確実に知らせることができ、また簡単に前記動作を終了させることが可能となる。
【０００９】
請求項３記載の発明では、着信があった場合で操作手段によって操作がされなかった場合に、着信終了後一定時間間隔で一定時間ランプ手段により点滅あるいは点灯させ、それを一定回数繰り返し、その間に操作手段による操作があれば点滅あるいは点灯させることを中止するので、着信時に着信に気が付かなくても、その後前記動作により着信があったことを確実に知らせることができ、また簡単に前記動作を終了させることができる。
請求項４記載の発明では、着信があった場合で操作手段によって操作がされなかった場合に、着信終了後一定時間間隔で一定時間表示部バックライト手段により点滅あるいは点灯させ、それを一定回数繰り返し、その間に操作手段による操作があれば点滅あるいは点灯させることを中止するので、着信時に着信に気が付かなくても、その後前記動作により着信があったことを確実に知らせることができ、また簡単に前記動作を終了させることができる。
【００１０】
請求項５記載の発明では、間隔時間、鳴動あるいは振動あるいは点滅あるいは点灯時間、繰り返し回数のいずれかを設定変更できるので、例えば、電池の寿命を考慮しての設定等の使い勝手を向上させることができる。
【発明を実施するための最良の形態】
【００１１】
以下、本発明の好適な実施の形態について図１ないし図２を参照して詳細に説明する。
図１は、本実施例に係る携帯電話のブロック図である。この図に示すように、ＮＣＵ１０、ＣＰＵ１２、キー入力部１４、ＦＲＯＭ１６、表示部１８、ＳＲＡＭ２０、鳴動部２２、振動部２４、バックライト部２６およびランプ部２８より構成されている。
ＣＰＵ１２は、この装置あるいはシステム全体を制御するＣｅｎｔｒａｌ  Ｐｒｏｓｓｅｓｉｎｇ  Ｕｎｉｔである。ＦＲＯＭ（書き換え可能な不揮発性メモリ）１６には、この装置あるいはシステム全体を制御するためのファームウェアが格納されており、ＣＰＵ１２はそのプログラムによって動作し、またシステムの制御上記憶しておかなくてはならないデータもＦＲＯＭ１６に記憶される。
【００１２】
ＳＲＡＭ（書き換え可能な揮発性メモリ）２０は、ＣＰＵ１２が動作する上で必要なワークエリアが形成され、ＣＰＵ１２によってデータの一時記憶装置として使用される。また、ＦＲＯＭ１６への緩衝バッファとしての役割を果たしている。
ＮＣＵ１０は、着信時の呼び出し信号の検出を行うものであり、また通信に必要な制御を行う。ここでいう通信は有線、無線を含むものである。ＯＰ−ＰＯＲＴは装置を動作させるためのキー入力部１４や動作の状態を示す表示部１８等から構成されている。
鳴動部２２は着信があったときの着信音を鳴らす機能を持ち、その他キー入力に対する操作音やアラーム音などの鳴動に使用される。振動部２４はいわゆるバイブレータといわれるもので、着信があった場合に装置を振動させることによって着信等を知らせる。
【００１３】
バックライト部２６は、通常は点灯することにより、液晶などの表示部を明るく見やすくする機能を持っているが、本実施例では点滅あるいは点灯により着信を知らせるもので、一般的にはＬＥＤ等の発光素子が使用される。ランプ部２８は、通常は電池を充電しているときの充電状態を知らせたり、着信時に点滅あるいは点灯して着信を知らせるものであり、一般的にはＬＥＤ等の発光素子が使用される。
【００１４】
次に、本実施例の処理手順を図２のフローチャートを参照して説明する。
まず、相手から呼び出しにより着信があり（ステップ１０）、キー操作による応答がない場合は（ステップ１１）、応答なしの着信としてメモリに記憶される。その後にボタン操作（応答）があれば（ステップ１２；Ｙ）、その後の一連の着信を知らせる動作は行わない。
着信中のボタン操作も同様である。ボタン操作がなければ、一定時間の間隔を置いて（ステップ１３）、一定時間鳴動部２２により鳴動を行う（ステップ１４）。この動作を設定回数になるまで行う（ステップ１５）（第１の実施例）。
【００１５】
第２の実施例では、ステップ１４で、振動部２４が振動を発生させて、ユーザに知らせる。
第３の実施例では、ステップ１４で、ランプ部２８がランプを点滅あるいは点灯させて、ユーザに知らせる。
さらに、第４の実施例では、ステップ１４で、バックライト部２６がバックライトを点滅あるいは点灯させて、ユーザに知らせる。
設定回数に達すればその後の着信を知らせる動作は行わない（ステップ１５；Ｙ）。その後はボタン操作があるまで、あるいは設定回数に達するまで、一連の着信を知らせる動作を繰り返す。
また前記、間隔時間、鳴動（振動、点滅、点灯）時間、設定回数はユーザが任意に設定することができる。
【図面の簡単な説明】
【００１６】
【図１】本実施例に係る携帯電話のブロックを示した図である。
【図２】本実施例の処理手順を示したフローチャートである。
【符号の説明】
【００１７】
１０  ＮＣＵ
１２  ＣＰＵ
１４  キー入力部
１６  ＦＲＯＭ
１８  表示部
２０  ＳＲＡＭ
２２  鳴動部
２４  振動部
２６  バックライト部
２８  ランプ部
【図１】
2006279991.tif 000003
【図２】
2006279991.tif 000004